(57)【要約】【課題】感電の畏れなく安全に、多種の液剤を供給し得るようにしたシャワーシステムを提供する。【解決手段】可撓性ホース７２に接続して湯水を散布するハンド式のシャワーヘッド５４に、単一の液剤供給ノズル６０の開口部６０ａを臨ませる。また、液剤供給ノズル６０から所望の液剤を供給させるための各種操作指令を選択する操作選択ボタン６２と、選択された各種操作指令を発信するリモコン発信部６４とをシャワーヘッド５４の所要位置に配設する。更に、リモコン発信部６４への電力供給源となるアモルファスシリコン太陽電池６６をシャワーヘッド５４に設ける。リモコン発信部６４から送信された各種操作指令は、シャワーヘッド５４とは別の個所に設けられたリモコン受信部が受信し、該リモコン受信部が所望の液剤を供給させるための制御手段に該操作指令を送る。【選択図】図１
2006223756.tif 000002
【特許請求の範囲】
【請求項１】
可撓性ホース(72)に接続して湯水を散布するハンド式のシャワーヘッド(54)と、該シャワーヘッド(54)に開口部(60a)を臨ませた単一の液剤供給ノズル(60)と、前記シャワーヘッド(54)に設けられ、各種操作指令を選択して前記液剤供給ノズル(60)から所望の液剤を供給させる操作選択手段(62)とを備えたシャワーシステムにおいて、
前記シャワーヘッド(54)に設けられ、前記操作選択手段(62)により選択された各種操作指令を発信するリモコン発信部(64)と、
前記リモコン発信部(64)から発信された各種操作指令を受信して、前記所望の液剤を供給させるための制御手段(80)に該操作指令を送るリモコン受信部(82)と、
前記シャワーヘッド(54)に設けられ、前記リモコン発信部(64)への電力供給源となる光電セル(66)とから構成した
ことを特徴とするシャワーシステム。
【請求項２】
可撓性ホース(72)に接続して湯水を散布するハンド式のシャワーヘッド(54)と、
このシャワーヘッド(54)に開口部(60a)を臨ませた単一の液剤供給ノズル(60)と、
前記可撓性ホース(72)の内部に収納されて、前記液剤供給ノズル(60)に一端部が連通接続すると共に、他端部が所要数の液剤吸入管(74,74)に分岐的に連通する液剤供給管(68)と、
前記液剤吸入管(74,74)の夫々に個別に連通し、所望の液剤が貯留される複数の液剤貯留タンク(42,42)と、
前記液剤供給管(68)と液剤吸入管(74,74)との分岐部に設けられ、前記夫々の液剤貯留タンク(42,42)に接続している各対応の液剤吸入管(74)と該液剤供給管(68)との連通を選択的に切り替える切替弁(76)と、
前記液剤供給管(68)の途中に設けられ、前記切替弁(76)で切り替えられて連通する側の液剤吸入管(74)から液剤貯留タンク(42)中の液剤を吸引して該液剤供給管(68)に供給するポンプ(78)と、
前記切替弁(76)およびポンプ(78)に各種操作指令を個別に与える制御手段(80)と、
前記シャワーヘッド(54)に設けられ、各種操作指令を選択して前記液剤供給ノズル(60)から所望の液剤を供給させる操作選択手段(62)と、
前記シャワーヘッド(54)に設けられ、前記操作選択手段(62)により選択された各種操作指令を発信するリモコン発信部(64)と、
前記シャワーヘッド(54)とは別の個所に配設され、前記リモコン発信部(64)から発信された各種操作指令を受信して、前記制御手段(80)に該操作指令を送るリモコン受信部(82)と、
前記シャワーヘッド(54)に設けられ、前記リモコン発信部(64)への電力供給源となる光電セル(66)とから構成した
ことを特徴とするシャワーシステム。
【請求項３】
前記シャワーヘッド(54)の内部に充電部(70)を設け、前記光電セル(66)で変換された電気を該充電部(70)に充電するようにした請求項１または２記載のシャワーシステム。
【請求項４】
前記光電セル(66)として、可撓性を有するアモルファスシリコン太陽電池が使用される請求項１〜３の何れかに記載のシャワーシステム。
【請求項５】
前記操作選択手段(62)は、前記液剤貯留タンク(42,42)の配設数に応じた数の操作選択ボタンで構成される請求項２〜４の何れかに記載のシャワーシステム。
【請求項６】
前記操作選択手段(62)は、前記液剤貯留タンク(42,42)の配設数に応じた数の切替接点を有する操作選択スイッチとして構成される請求項２〜４の何れかに記載のシャワーシステム。
【請求項７】
前記可撓性ホース(72)と接続して湯水を供給する湯水供給管(52)から分岐した洗浄水供給管(86)を洗浄弁(84)を介して前記液剤供給管(68)に接続し、異なる種類の液剤を使用するに先立ち該洗浄弁(84)を開放することで、前記湯水供給管(52)からの湯水を前記液剤供給ノズル(60)に供給してノズル洗浄を行なう請求項２〜６の何れかに記載のシャワーシステム。
【請求項８】
前記複数の液剤貯留タンク(42,42)、切替弁(76)、ポンプ(78)および制御手段(80)を１個所に集中配置すると共に、前記ポンプ(78)と多数のシャワーヘッド(54,54)における各液剤供給ノズル(60)とを接続する液剤供給管(68,68)の夫々に、各種操作指令に応じて該液剤供給管(68,68)を開閉させる開閉弁(96,96)を設け、前記夫々の液剤供給ノズル(60,60)から所望の液剤を供給し得るようにした請求項２〜７の何れかに記載のシャワーシステム。
【発明の詳細な説明】
【技術分野】
【０００１】
この発明は、シャワーシステムに関し、更に詳細には、一般家庭や理容店、その他、公衆浴場、宿泊施設等の浴室や洗面所に配設されて、シャワーヘッドから各種の液剤を選択的に供給し得るシャワーシステムに関するものである。
【背景技術】
【０００２】
浴室や洗面所等に配設されるシャワーシステムに関して、例えば、シャワーヘッドの液剤噴射口から各種の液剤を選択的に供給し得るようにしたものがある(特許文献１)。図５は、このシャワーシステム１０を示す概略図であって、湯水を供給するシャワーヘッド１２に、液剤の供給を行なう液剤噴射口１４と、液剤選択を行なう液剤選択ボタン１６とが配設されている。前記液剤選択ボタン１６は、例えば、シャンプー用ボタン１６ａ、リンス用ボタン１６ｂおよびボディーソープ用ボタン１６ｃから構成されており、図６に示すように、これらのボタンによってシャワーヘッド１２に内蔵した開閉バルブ１８,１８を開閉し得るよう構成されている。
【０００３】
また、各種の液剤が貯留される液剤容器２０は、内部に複数の収納部２０ａ,２０ａが画成されると共に、液剤容器２０の内部を加圧する電動式の加圧ポンプ２２が接続されている。更に、前記各収納部２０ａの底部には、各液剤をシャワーヘッド１２へ送出する液剤供給管２４,２４が夫々接続され、図５に示すように、これらの液剤供給管２４,２４はシャワーホース２６の内部に収納される。そして、図６に示すように、これらの液剤供給管２４,２４は互いに１箇所で接続して、液剤噴射口１４に連通している。
【０００４】
このシャワーシステム１０を起動させると、前記加圧ポンプ２２により液剤容器２０の収納部２０ａ,２０ａが加圧されて各液剤が押し出され、液剤は液剤供給管２４,２４を介してシャワーヘッド１２内の開閉バルブ１８,１８まで到来する。そして、前記液剤選択ボタン１６の１つを押すと対応の開閉バルブ１８が開放し、加圧状態下にある液剤は液剤噴射口１４から押し出される。
【０００５】
また、前記シャワーシステム１０に類似するものとして、特許文献２に示す「湯水供給装置」がある。この湯水供給装置は、洗面台等に設けられた吐出しノズルから、各種の液剤を選択的に供給し得るようにしたものであって、特許文献１と同様、各種液剤は加圧ポンプによってタンクから押し出される。この吐出しノズルの頂部には、液剤を選択するための液剤選択ボタンが配設され、該ボタンは電気コード等により洗面台上の制御部に接続されている。そして、液剤選択ボタンを押すことで、液剤の選択指令が電気コードを介して制御部に送られ、該制御部がこの指令に基づき選択された液剤に対応するバルブを開放させるようになっている。
【０００６】
このように、特許文献１のシャワーシステム１０や特許文献２の湯水供給装置によれば、液剤選択ボタンを押すだけで所望の液剤をシャワーヘッド１２や吐出しノズルから供給し得るので、使用者は洗髪等の度に、液剤が入ったボトルを取り出す手間が解消される。
【特許文献１】特開平６−６２９７２号公報
【特許文献２】実用新案登録第２５８７８５２号公報
【発明の開示】
【発明が解決しようとする課題】
【０００７】
しかしながら、特許文献１のシャワーシステム１０および特許文献２の湯水供給装置は、夫々、以下のような欠点を内在している。特許文献１のシャワーシステムについては、例えば、前記液剤に加えて、更にシェービングクリームや洗顔剤等を供給できるようにしたい場合、シャワーホース２６に収納する液剤供給管２４,２４の数も増やさなければならない。従って、シャワーホース２６内の液剤供給管２４の数が多くなると、ホース２６の内部が圧迫されて湯水や液剤の流通抵抗が高くなったり、シャワーホース２６の柔軟性が失われて使用感が損なわれたりしてしまう。
【０００８】
また、特許文献２の湯水供給装置については、前述のように、液剤の選択指令は電気コードを介して制御部へ送られるが、吐出しノズルの頂部に設けられた液剤選択ボタンと洗面台上の制御部とを電気コード等で結線することは、仮に低電圧であるとしても湯水の使用環境下では、感電の畏れがあり回避すべきである。また、特許文献２の湯水供給装置は、タンク内が所定の加圧状態に維持されるよう、加圧ポンプは常に制御部によって作動制御されるので、電気代が嵩む難点がある。
【０００９】
そこで本発明は、従来のシャワーシステムに内在する前記問題に鑑み、これらを好適に解決するべく提案されたものであって、感電の畏れなく安全に、多種の液剤を供給し得るシャワーシステムを提供することを目的とする。
【課題を解決するための手段】
【００１０】
前記課題を克服し、所期の目的を達成するため、本発明に係るシャワーシステムは、
可撓性ホースに接続して湯水を散布するハンド式のシャワーヘッドと、該シャワーヘッドに開口部を臨ませた単一の液剤供給ノズルと、前記シャワーヘッドに設けられ、各種操作指令を選択して前記液剤供給ノズルから所望の液剤を供給させる操作選択手段とを備えたシャワーシステムにおいて、
前記シャワーヘッドに設けられ、前記操作選択手段により選択された各種操作指令を発信するリモコン発信部と、
前記リモコン発信部から発信された各種操作指令を受信して、前記所望の液剤を供給させるための制御手段に該操作指令を送るリモコン受信部と、
前記シャワーヘッドに設けられ、前記リモコン発信部への電力供給源となる光電セルとから構成したことを特徴とする。
【００１１】
また、同じく前記課題を克服し、所期の目的を達成するため、本願の別の発明に係るシャワーシステムは、
可撓性ホースに接続して湯水を散布するハンド式のシャワーヘッドと、
このシャワーヘッドに開口部を臨ませた単一の液剤供給ノズルと、
前記可撓性ホースの内部に収納されて、前記液剤供給ノズルに一端部が連通接続すると共に、他端部が所要数の液剤吸入管に分岐的に連通する液剤供給管と、
前記液剤吸入管の夫々に個別に連通し、所望の液剤が貯留される複数の液剤貯留タンクと、
前記液剤供給管と液剤吸入管との分岐部に設けられ、前記夫々の液剤貯留タンクに接続している各対応の液剤吸入管と該液剤供給管との連通を選択的に切り替える切替弁と、
前記液剤供給管の途中に設けられ、前記切替弁で切り替えられて連通する側の液剤吸入管から液剤貯留タンク中の液剤を吸引して該液剤供給管に供給するポンプと、
前記切替弁およびポンプに各種操作指令を個別に与える制御手段と、
前記シャワーヘッドに設けられ、各種操作指令を選択して前記液剤供給ノズルから所望の液剤を供給させる操作選択手段と、
前記シャワーヘッドに設けられ、前記操作選択手段により選択された各種操作指令を発信するリモコン発信部と、
前記シャワーヘッドとは別の個所に配設され、前記リモコン発信部から発信された各種操作指令を受信して、前記制御手段に該操作指令を送るリモコン受信部と、
前記シャワーヘッドに設けられ、前記リモコン発信部への電力供給源となる光電セルとから構成した
ことを特徴とする。
【発明の効果】
【００１２】
本発明に係るシャワーシステムによれば、操作選択手段によって選択された各種の操作指令は、リモコン発信部からリモコン受信部へ無線送信されるので、操作選択手段と制御手段とを結ぶ電気配線を施す必要がなく、使用者が感電する危険がない。また、前記シャワーヘッドにリモコン発信部の電力供給源となる光電セルを設けたので、外部電源からリモコン発信部へ電力を供給する必要がなく、これらを結ぶ電気配線を施す必要もない。
【００１３】
シャワーヘッド内部に、光電セルで変換された電気を充電する充電部が設けたので、リモコン発信部に電力を安定的に供給することが可能となる。また、光電セルとして可撓性を有するアモルファスシリコン太陽電池を使用した場合には、種々のシャワーヘッドの形状に合わせて配設することが可能となる。
【００１４】
本発明に係る別のシャワーシステムによれば、液剤の供給時にのみポンプ等を作動させるので、電気代等のランニングコストが嵩むことがない。また、前記液剤供給ノズルに連通する液剤供給管は、可撓性ホースの内部に収納されるので、液剤供給管が邪魔になることがない。また、可撓性ホースに収納される液剤供給管の数は液剤の種類に拘わらず１つなので、液剤の種類をいくらでも増やすことが可能となる。
【００１５】
また、本発明に係るシャワーシステムは、異なる種類の液剤を使用するに先立ち、液剤供給ノズルに湯水を供給してノズル洗浄を行なうようにしたので、該ノズル内に残留した液剤が混ざって供給されることが防止される。更に、液剤貯留タンク等を１個所に集中配置して、複数の液剤供給ノズルから液剤を供給し得るようにした場合には、液剤貯留タンク等を共有して効率的に使用することが可能となり、敷設コストを低廉にし得る。この場合、液剤貯留タンクへの液剤の補給・交換作業も効率的となる。
【発明を実施するための最良の形態】
【００１６】
次に、本発明に係るシャワーシステムにつき、好適な実施例１を挙げて、添付図面を参照して以下に説明する。なお、実施例１では、一般家庭の浴室に本発明のシャワーシステムを配設した場合を示すが、本シャワーシステムは、家庭の洗面所や宿泊施設、公衆浴場、理髪店等、従来シャワーが使用されてきた場所、あるいはシャワーが設置可能な場所であれば、何れの場所に設置してもよい。
【実施例１】
【００１７】
図２は、実施例１に係るシャワーシステム３０が設置された浴室３２を示す概略平面図であって、矩形状に画成された浴室３２内には、浴槽３４と、該浴槽３４に併設した洗い場３６とが設けられている。前記洗い場３６には、所要高さを有した台部３８が設けられており、湯水の供給を行なう蛇口４０が該台部３８上に配設されている。この台部３８の内部は、後述する液剤貯留タンク４２,４２等を収納し得るよう所要のスペースが画成されている。また、図３の断面図に示すように、扉４６によって開閉可能に閉成される開口部３８ａが台部３８の前面に開設されている。なお、図２における符号４８は浴室用のイスを、符号５０は浴槽３４内へ湯水を供給する浴槽用の蛇口を夫々示している。
【００１８】
前記台部３８上に設けられた蛇口４０は、浴室３２の外部に設けられた水道系およびボイラー(何れも図示せず)と接続した湯水供給管５２と連通しており、湯水を選択的に供給し得るようになっている。また、前記蛇口４０の後方から可撓性ホース７２が導出しており、該ホース７２の端部はハンド式のシャワーヘッド５４と接続されている。
【００１９】
前記シャワーヘッド５４は、図１(ａ)に示すように、複数の放水孔５６ａが開設された放水部５６と、使用者によって把持される把持部５８とから構成されている。この把持部５８における放水部５６が臨む側には、液剤を供給する液剤供給ノズル６０と、液剤選択等の各種操作を行なう操作選択ボタン(操作選択手段)６２と、各種の操作指令を発信するリモコン発信部６４とが配設されている。また、図１(ｂ)に示すように、前記把持部５８の背面側には、前記リモコン発信部６４の電力を発電する光電セル６６が配設されており、該光電セル６６によって生じた電力は、シャワーヘッド５４内に配設された充電部７０に充電されるようになっている。
【００２０】
前記シャワーヘッド５４から開口部６０ａが臨むよう配設される単一の液剤供給ノズル６０は、シャワーヘッド５４の内部で液剤供給管６８と連通して、各種の液剤が供給されるよう構成されている。なお、液剤供給ノズル６０の配設位置は、実施例１に限定される訳でなく、例えば、前記放水部５６に設けたり、シャワーヘッド５４の背面側に設けるようにしてもよい。
【００２１】
前記液剤供給ノズル６０から所望の液剤を供給させるための各種操作指令を選択する操作選択手段６２は、液剤貯留タンク４２,４２の配設数に応じた数(実施例１では３つ)の操作選択ボタン(操作選択ボタンＡ〜Ｃ)で構成されている。すなわち、使用者が望む液剤と対応した操作選択ボタンＡ〜Ｃ６２を押すことで該液剤が選択されると共に、押した長さに応じた量の液剤が供給されるようになっている。従って、実施例１における操作選択ボタン６２は、液剤の選択、供給および供給量を選択し得るようになっている。しかしながら、操作選択ボタン６２が有する機能、すなわち各種操作指令の内容については実施例１に限定されず、例えば、該操作選択ボタン６２には液剤選択のみの機能を持たせ、液剤の供給開始については、供給ボタンや供給レバー等を別途シャワーヘッド５４に設けて行なうようにしてもよい。また、液剤の供給量を調節する供給量調節手段をシャワーヘッド５４に配設することで、前記操作選択ボタン６２を押すだけで所定量の液剤が供給されるようにすることも可能である。なお操作選択ボタン６２は、使用者が該ボタン６２をしっかりと押した時にのみ作動し、誤って軽く触れてしまった場合には作動しないよう、誤動作防止機能を設けてもよい。
【００２２】
前記把持部５８の下方側に設けられたリモコン発信部６４は、前記操作選択ボタン６２により選択された各種操作指令を無線発信するよう構成されている。すなわち、使用者が操作選択ボタン６２の何れかを押すことで操作指令(すなわち、液剤の選択・供給の開始・押した時間に応じた供給量)が選択され、該操作指令は、リモコン発信部６４からリモコン受信部８２へ無線送信されるようになっている。なお、このリモコン発信部６４の具体例としては、赤外線リモコンや電磁波リモコン等、従来公知のリモコン発信器を使用し得る。また、リモコン発信部６４をシャワーヘッド５４に設ける位置については、実施例１に限定されず、適宜変更してもよい。
【００２３】
前記シャワーヘッド５４の背面側に配設される光電セル６６は、前記浴室３２内の蛍光灯や太陽光からの光を電気に変換して、前記リモコン発信部６４に作動電力を供給する電力供給源の機能を有している。実施例１における光電セル６６は、アモルファスシリコン太陽電池が使用されている。このアモルファスシリコン太陽電池６６は、可視光領域の光吸収能力が優れた光電変換材料であって、薄膜状に形成することで可撓性を具備させることが可能である。すなわち、可撓性を有するシート状のアモルファスシリコン太陽電池６６を光電セルとして使用することで、シャワーヘッド５４の曲面形状に合わせて配設することができる。但し、光電セルとしては、このアモルファスシリコン太陽電池６６に限られる訳でなく、例えば、結晶シリコン太陽電池等を使用してもよい。
【００２４】
図１に示すように、前記シャワーヘッド５４の内部には、アモルファスシリコン太陽電池６６で変換された電気を充電し得る充電部７０が設けられている。すなわち、この充電部７０は、前記アモルファスシリコン太陽電池６６によって変換された電気を貯留して、前記リモコン発信部６４へ安定的に電力を供給し得るようになっている。なお、この充電部７０としては、例えば、市販のニッカド充電池やニッケル水素充電池等が好適に使用される。
【００２５】
前記可撓性ホース７２の内部に収納され、シャワーヘッド５４の内部で液剤供給ノズル６０と接続する液剤供給管６８は、図３に示すように、前記台部３８の内部において、所要数(実施例１では３つ)の液剤吸入管７４,７４と分岐的に連通している。すなわち、前記液剤供給管６８は、前記台部３８の内部で一方の端部が各液剤吸入管７４と連通すると共に、前記蛇口４０を介して可撓性ホース７２の内部に収納されて、他端部が液剤供給ノズル６０と接続している。なお、この液剤供給管６８は、前記可撓性ホース７２の内部に挿通されることから、可撓性を有したビニール管等を材質とすることが好ましい。
【００２６】
前記各液剤吸入管７４は、前記台部３８の内部に配置されて所望の液剤が貯留される複数(実施例１では３つ)の液剤貯留タンク４２,４２の夫々と連通接続している。また、夫々の液剤貯留タンク４２,４２から導出した液剤吸入管７４は、後述の切替弁７６によって、前記液剤供給管６８と分岐的に接続されている。
【００２７】
前記液剤貯留タンク４２,４２は、内部に所要量の液剤を貯留し得るようボトル状に形成されて、前記台部３８の内底面に複数載置されるようになっている。なお、実施例１においては、液剤としてボディーソープ、シャンプーおよびリンスの３種が、夫々、図１の左・中・右側に配設された液剤貯留タンクＡ〜Ｃ４２に貯留されているものとし、前記操作選択ボタンＡ〜Ｃ６２と対応付けられている。但し、各液剤貯留タンク４２に貯留する液剤の種類としては、これに限定される訳でなく、例えば、リンスに換えてコンディショナーを貯留したり、タイプの異なるシャンプーを貯留したりしてもよい。また、前記液剤貯留タンク４２,４２の配設数についても、実施例１に限定されず、その数を増減させても構わない。すなわち、シャワーシステム３０の設置箇所や目的に合わせて、前記液剤貯留タンク４２,４２の配設数を増減させて、液剤の種類を変更してもよい。なお、各液剤貯留タンク４２に残量検知手段(図示せず)を配設して、タンク中の液剤の残量を検知し得るようにしてもよい。また、液剤貯留タンク４２,４２への液剤の補給・交換は、前記扉４６を開放させて、開口部３８ａを介して行なわれる。
【００２８】
前記液剤供給管６８と各液剤吸入管７４との分岐部には、前記夫々の液剤貯留タンク４２,４２から導出した液剤吸入管７４,７４と該液剤供給管６８との連通を選択的に切り替える切替弁７６が配設されている。すなわち、この切替弁７６は、前記操作選択ボタン６２によって所望の液剤が選択された際に、該液剤が貯留された液剤貯留タンク４２から導出する液剤吸入管７４と液剤供給管６８とを連通させると共に、他の液剤吸入管７４,７４との連通を遮断するよう構成されている。なお、この切替弁７６は、台部３８の内部に配設された制御手段８０によって作動制御されるようになっている。
【００２９】
前記液剤供給管６８の途中に設けられるポンプ７８は、前記切替弁７６で切替えられて連通する側の液剤吸入管７４から液剤貯留タンク４２,４２中の液剤を吸引して前記液剤供給ノズル６０に供給するよう構成されている。すなわち、前記ポンプ７８は、制御手段８０と電気的に接続されており、各種操作指令が出される度に液剤貯留タンク４２から液剤を吸引して、前記液剤供給ノズル６０へ供給するよう構成されている。なお、このポンプ７８としては、電力によって液剤を吸引する電動ポンプが好適に使用される。
【００３０】
前記台部３８上の所要位置には、前記リモコン発信部６４からの各種操作指令を受信して、制御手段８０に該操作指令を送るリモコン受信部８２が設けられている。すなわち、このリモコン受信部８２は、前記リモコン発信部６４から発信された前記操作指令(すなわち、液剤の選択、供給、供給量)を受信すると共に、制御手段８０に操作指令を送るよう構成されている。そして、リモコン受信部８２から操作指令を受けた制御手段８０は、この指令に応じて切替弁７６およびポンプ７８を個別に作動制御するよう構成される。なお、このリモコン受信部８２としては、前記リモコン発信部６４と同じく、赤外線レシーバや電磁波レシーバ等の従来公知のものが採用し得る。また、リモコン受信部８２の配設位置としては実施例１に限定されず、リモコン発信部６４からの各種指令を受信し得るならば、何れの箇所であってもよい。
【００３１】
湯水を供給する前記湯水供給管５２は、洗浄弁８４を介して液剤供給管６８と連通する洗浄水供給管８６が分岐されている。すなわち、異なる種類の液剤を使用するに先立ち、前記制御手段８０が前記洗浄弁８４を開放させて、前記湯水供給管５２からの湯水を液剤供給ノズル６０に供給してノズル洗浄を行なうよう構成される。
【００３２】
(実施例１の作用)
次に、実施例１に係るシャワーシステム３０の作用について説明する。なお、このシャワーシステム３０は、当初、「ボディーソープ」が選択されているものとする。すなわち、前記液剤供給管６８は、ボディーソープが貯留された液剤貯留タンクＡ４２と連通した状態にある。
【００３３】
例えば、使用者が洗髪をするため、シャンプーが貯留された液剤貯留タンクＢ４２に対応する前記操作選択ボタンＢ６２を所定時間押したとする。すると前記リモコン発信部６４は、この操作指令(ボディーソープの選択・供給開始・供給量)を無線送信し、これを前記リモコン受信部８２が受信する。この時、前記充電部７０には、アモルファスシリコン太陽電池６６で変換された電気が充電されているので、リモコン発信部６４は電力が不足することなく安定的に作動し得る。
【００３４】
そして、リモコン受信部８２は前記操作指令を制御手段８０に送り、該制御手段８０は異なる液剤が選択されたことを判断して洗浄弁８４を開放させる。これにより、湯水が洗浄水供給管８６を介して液剤供給管６８へ供給されて、前記液剤供給ノズル６０が洗浄される。すなわち、前回の使用で液剤供給ノズル６０に残留していたボディーソープは洗浄水によって流されるので、シャンプーが供給される際に該ボディーソープが混ざることがない。
【００３５】
洗浄水によるノズル洗浄が行われると、前記制御手段８０は、切替弁７６を制御して、前記液剤貯留タンクＡ４２から導出する液剤吸入管７４と液剤供給管６８との連通を遮断させると共に、シャンプーを貯留する液剤貯留タンクＢ４２の液剤吸入管７４を開放させる。なお、液剤貯留タンクＣ４２における液剤吸入管７４は閉成したままである。この状態で、前記制御手段８０は、使用者が前記操作選択ボタンＢ６２を押し続けた時間に応じて、ポンプ７８に液剤貯留タンクＢ４２からシャンプーを吸引させて、前記液剤供給ノズル６０から該シャンプーが注出される。
【００３６】
また、洗髪が終了し、引き続きリンスをするため使用者が前記操作選択ボタンＣ６２を所要時間押した際には、前記リモコン発信部６４から操作指令が発信される。そして、この指令を受信したリモコン受信部８２は、制御手段８０に操作指令を伝達する。これを受けた制御手段８０は、異なる液剤が選択されたことで、前記洗浄弁８４を開放させてノズル洗浄を行なうと共に、切替弁７６を作動させて、液剤供給タンクＣ４２に接続された液剤吸入管７４を開放させる。そして、前記ポンプ７８が作動して、使用者が前記操作選択ボタンＣ６２を押した時間に応じた量のリンスが液剤供給ノズル６０から供給される。
【００３７】
すなわち実施例１に係るシャワーシステムによれば、操作選択ボタン６２によって選択された各種の操作指令は、リモコン発信部６４からリモコン受信部８２へ無線送信されるので、操作選択ボタン６２と制御手段８０とを結ぶ電気配線を施す必要がなく、使用者が感電することはない。また、シャワーヘッド５４に、リモコン発信部６４への電力供給源となるアモルファスシリコン太陽電池６６が配設されるので、外部の電源からリモコン発信部６４に電力を供給する電気配線を施す必要もない。また、前記ポンプ７８は液剤の供給時にのみ作動するので、電気代等のランニングコストが嵩むことがない。
【００３８】
実施例１のシャワーシステム３０は、複数種類の液剤を選択的に供給し得るよう構成したので、用途に合わせて様々な液剤を供給でき、液剤の種類を容易に増減させることが可能となる。また、操作選択ボタン６２がシャワーヘッド５４に設けられているので、これらの操作を片手で容易に行ない得る。
【００３９】
実施例１のシャワーシステム３０によれば、前記液剤供給ノズル６０に連通する液剤供給管６８は、前記可撓性ホース７２の内部に収納されるので、液剤供給管６８が外部に露出して邪魔になることがない。また、供給し得る液剤の種類を増やしても、可撓性ホース７２に収納される液剤供給管６８の数は１つなので、液剤の種類をいくらでも増やすことが可能となる。更に、前記液剤貯留タンク４２,４２等を台部３８の内部に配設したので、浴室３２がスッキリして、使用スペースを有効に活用できる。
【００４０】
(実施例１の変更例)
実施例１においては、所望の液剤を供給するための各種操作指令を選択する操作選択手段として操作選択ボタン６２を採用した場合を示した。しかしながら、液剤貯留タンク４２,４２の配設数に応じた切替接点を有する操作選択スイッチを、前記操作選択手段として採用することも可能である。すなわち、各液剤に対応する操作選択スイッチをシャワーヘッド５４に配設し、使用者が該スイッチを捻ることで、所望の液剤が選択されるように変更してもよい。この場合、選択した液剤の供給を開始するには、液剤供給ボタンや液剤供給レバー等を、別途シャワーヘッド５４に設けてもよい。
【００４１】
また、実施例１では、液剤貯留タンク４２,４２等を台部３８の内部に収納した場合を示したが、例えば、シャワーシステム３０を洗面所に配設する場合、液剤貯留タンク４２,４２等を洗面台の内部に収納することも可能である。更に、シャワーシステム３０を配設する場所に別途タンク配置部を設けて、該配置部に液剤貯留タンク４２,４２等を収納してもよい。
【実施例２】
【００４２】
次に、実施例２に係るシャワーシステムについて、以下説明を行なう。なお、実施例２については、実施例１との変更点のみ説明を行なって、同一の構成については説明を省略する。また、実施例２のシャワーシステムは、ホテル・旅館や公衆浴場等の複数の洗い場を備えた浴場において、特に好適に実施されるものである。
【００４３】
図４は、実施例２に係るシャワーシステム９０を示す概略説明図であって、複数の洗い場９２ａ,９２ａが並列的に設けられた浴場９２の外部の１箇所に、液剤貯留タンク４２,４２、切替弁７６、ポンプ７８および制御手段８０からなる液剤供給機構９４が集中的に配置されている。また、前記洗い場９２ａ,９２ａの夫々に配設されるシャワーヘッド５４には、実施例１と同様に、液剤供給ノズル６０、操作選択ボタン６２、アモルファスシリコン太陽電池６６、リモコン発信部６４等が配設されると共に、各洗い場９２ａの台部３８にリモコン受信部８２が設けられている。すなわち、実施例２に係るシャワーシステム９０は、前記液剤供給機構９４を浴場９２の外部に集中配置し、該供給機構９４から複数の洗い場９２ａ,９２ａへ所望の液剤を供給し得るようにしたものである。
【００４４】
図３に示すように、各液剤供給ノズル６０に連通する液剤供給管６８は、夫々が前記ポンプ７８に接続されている。また、各液剤供給管６８の所要位置に開閉弁９６が設けられ、操作指令に応じて液剤供給管６８を開閉させるようになっている。すなわち、この開閉弁９６,９６は前記制御手段８０に作動制御されて、各洗い場９２ａの操作指令に基づき開閉されるようになっている。従って、例えば、図３における中央の洗い場９２ａから液剤の供給指令がなされた場合、前記制御手段８０は対応する開閉弁(すなわち、中央の開閉弁)９６のみを開放させると共に、左右の開閉弁９６,９６については閉成させる。これにより、中央の洗い場９２ａのみに液剤が供給されて、左右の洗い場９２ａ,９２ａに液剤が供給されることはない。
【００４５】
なお、前記制御手段８０は、個々のリモコン受信部８２,８２と電気的に接続されており、各リモコン受信部８２から送られる操作指令に応じて切替弁７６およびポンプ７８を作動制御するよう構成されている。また、制御手段８０は、個々の開閉弁９６,９６を制御して、実施例１の如く、各液剤供給ノズル６０の洗浄を行ない得るようになっている。
【００４６】
(実施例２の作用)
次に、実施例２に係るシャワーシステム９０の作用について説明する。なお、前記各液剤供給管６８は、当初、「シャンプー」が貯留された液剤貯留タンクＢから導出する液剤吸入管７４と接続しているものとする。
【００４７】
例えば、図４における中央の洗い場９２ａの使用者が、「ボディーソープ」を供給するため前記操作選択ボタンＡ６２を押した場合、前記リモコン発信部６４がこの操作指令をリモコン受信部８２へ無線送信する。これを受信したリモコン受信部８２は操作指令を制御手段８０へ送り、該制御手段８０は中央の洗浄弁８４のみを開放させてノズル洗浄を行なう。ノズル洗浄後、制御手段８０は前記切替弁７６を制御して、液剤貯留タンクＡ４２から導出する液剤吸入管７４と各液剤供給管６８とを連通させると共に、液剤貯留タンクＢ４２から導出する液剤吸入管７４を閉成させる。そして、制御手段８０はポンプ７８を作動させて、使用者が前記操作選択ボタンＡ６２を押した長さに応じた量の「ボディーソープ」が吸引される。これと同時に、制御手段８０は前記中央の開閉弁９６を作動させてその液剤供給管６８を開放させると共に、左右の開閉弁９６,９６を閉成させる。そして、中央の洗い場９２ａにおける液剤供給ノズル６０からボディーソープが供給される。この時、左右の洗い場９２ａ,９２ａの開閉弁９６,９６は閉成しているので、ボディーソープが供給されることはない。
【００４８】
すなわち、実施例２に係るシャワーシステム９０は、実施例１の効果に加えて、液剤供給機構９４を外部の１箇所に集中的に配置したので、該液剤供給機構９４を複数の洗い場９２ａ,９２ａで共有することができる。従って、各洗い場９２ａ毎に液剤供給機構９４を設ける場合に比べて、敷設コストが低廉となる。更に、液剤貯留タンク４２,４２は１箇所に設けられているので、液剤の補給・交換も効率的に行ない得る。
【図面の簡単な説明】
【００４９】
【図１】実施例１に係るシャワーシステムのシャワーヘッドを示す斜視図であって、(ａ)はシャワーヘッドの正面側を示し、(ｂ)はシャワーヘッドの背面側を示している。
【図２】実施例１に係るシャワーシステムが配設された浴室を示す概略平面図である。
【図３】図２のIII−III線断面図である。
【図４】実施例２に係るシャワーシステムを示す説明図である。
【図５】従来のシャワーシステムを示す斜視図である。
【図６】従来のシャワーシステムにおける液剤供給管の構成を示す説明図である。
【符号の説明】
【００５０】
４２ 液剤貯留タンク, ５２ 湯水供給管, ５４ シャワーヘッド
６０ 液剤供給ノズル, ６０ａ 開口部, ６２ 操作選択ボタン(操作選択手段)
６４ リモコン発信部, ６６ アモルファスシリコン太陽電池(光電セル)
６８ 液剤供給管, ７０ 充電部, ７２ 可撓性ホース, ７４液剤吸入管
７６ 切替弁, ７８ ポンプ, ８０ 制御手段, ８２ リモコン受信部
８４ 洗浄弁, ８６ 洗浄水供給管, ９６ 開閉弁
【図１】
2006223756.tif 000003
【図２】
2006223756.tif 000004
【図３】
2006223756.tif 000005
【図４】
2006223756.tif 000006
【図５】
2006223756.tif 000007
【図６】
2006223756.tif 000008